(57)【要約】【課題】熱交換器の高さを一定に維持しながらも熱交換効率を上昇できる換気システムを提供する。【解決手段】給気される室外空気と排気される室内空気との間の熱交換を行う単位熱交換素子１４１が少なくとも２個以上並列に配置された熱交換器１００と、一側が室外と前記熱交換器１００の内部とを連通させるとともに、他側が室内と前記熱交換器１００の内部とを連通させ、室外空気を室内に供給するための給気ダクトと、一側が室内と前記熱交換器１００の内部とを連通させるとともに、他側が室外と前記熱交換器１００の内部とを連通させ、室内空気を室外に排出するための排気ダクトと、を含み、前記熱交換器１００の内部には、前記給気ダクトの一側と他側とが連通するように給気流路１２０が形成され、前記排気ダクトの一側と他側とが連通するように前記給気流路１２０と互いに対角線方向をなす排気流路１３０が形成された換気システムを構成する。【選択図】図２
2007051864.tif 000002
【特許請求の範囲】
【請求項１】
給気される室外空気と排気される室内空気との間の熱交換を行う単位熱交換素子が少なくとも２個以上並列に配置された熱交換器と、
一側が室外と前記熱交換器の内部とを連通させるとともに、他側が室内と前記熱交換器の内部とを連通させ、室外空気を室内に供給するための給気ダクトと、
一側が室内と前記熱交換器の内部とを連通させるとともに、他側が室外と前記熱交換器の内部とを連通させ、室内空気を室外に排出するための排気ダクトと、を含み、
前記熱交換器の内部には、前記給気ダクトの一側と他側とが連通するように給気流路が形成され、前記排気ダクトの一側と他側とが連通するように前記給気流路と互いに対角線方向をなす排気流路が形成される換気システム。
【請求項２】
前記給気流路上で室外空気を室内に供給する給気ファンと、前記給気ファンを駆動するモータが設置された給気ファンスクロールと、前記排気流路上で室内空気を室外に供給する排気ファンと、前記排気ファンを駆動するモータが設置された排気ファンスクロールと、をさらに含む請求項１に記載の換気システム。
【請求項３】
前記給気ファンスクロール及び前記排気ファンスクロールは、前記熱交換素子を中心に全て前記熱交換器の一側に備わることを特徴とする請求項２に記載の換気システム。
【請求項４】
前記給気流路及び前記排気流路は、前記熱交換器の内部で上下左右対称となることを特徴とする請求項３に記載の換気システム。
【請求項５】
前記熱交換器の内部で前記給気流路及び前記排気流路を仕切るためのガイドをさらに含む請求項４に記載の換気システム。
【請求項６】
前記熱交換器は、室外空気が前記熱交換素子を通過せずに室内に供給されるようにするバイパス流路と、前記バイパス流路を選択的に遮断するためのバイパスダンパーと、をさらに含む請求項５に記載の換気システム。
【請求項７】
前記給気ファン及び排気ファンは、それぞれ両吸入ファンであることを特徴とする請求項２に記載の換気システム。
【請求項８】
前記単位熱交換素子は、全熱交換素子であることを特徴とする請求項１に記載の換気システム。
【請求項９】
前記単位熱交換素子は、六角形状の並行流型熱交換素子であることを特徴とする請求項８に記載の換気システム。
【請求項１０】
前記単位熱交換素子の内部を通過する空気は、前記単位熱交換素子の中心部に対して斜線方向に流入され、前記熱交換素子の中心部に対して斜線方向に流出されることを特徴とする請求項８に記載の換気システム。
【請求項１１】
前記単位熱交換素子に対する空気の斜線方向流入及び斜線方向流出のために、前記単位熱交換素子の空気流入面及び空気流出面に流路ガイドケーシングをさらに含む請求項１０に記載の換気システム。
【請求項１２】
前記給気流路及び前記排気流路は、前記熱交換器の内部に備わったガイドを通して仕切られると同時に、前記熱交換器の内部で上下左右対称となることを特徴とする請求項１０に記載の換気システム。  
【発明の詳細な説明】
【技術分野】
【０００１】
本発明は、換気システムに関するもので、詳しくは、熱交換器における熱交換効率を上昇するように構造を改善した換気システムに関するものである。
【背景技術】
【０００２】
一般に、換気は、室内の空気を快適な状態にすることを目的とし、室内の汚染空気を排出して除去し、新鮮な外気を供給して快適な室内環境を維持するものである。
【０００３】
密閉空間の空気は、時間の経過とともに、生命体の呼吸によって二酸化炭素の含量が増加することで、呼吸に支障をきたすようになる。したがって、多くの人々が事務室や車両などの狭い空間に集まる場合、室内の汚染空気を室外の新鮮な空気に頻繁に取り替えるべきであるが、このとき、一般的に用いられるものが換気システムである。
【０００４】
従来のほとんどの換気システムは、一つの送風機を用いて室内の空気のみを外部に強制排出する方式を採択している。ところが、一つの送風機を用いて室内の空気のみを強制排出する場合、室内の冷気または熱気がろ過なしに外部に排出される。さらに、室外の空気がドアや窓の隙間などを通して熱交換なしに流入されることで、室内を暖房及び冷房するための経費が不要に多くかかる。
【０００５】
また、冷気及び熱気が外部から内部に突然流入される場合、室内空気の急激な温度変化によって、その空間内に集まった人々が不快感を感じるようになる。特に、室内の窓やドアの隙間を閉じた状態で室内空気のみを外部に排出する場合、外部の新鮮な空気の流入が遮断されて酸素欠乏現象が発生する。また、室内空気の湿度調節が全く行われなくなり、換気システムが備わっているにもかかわらず、快適な室内環境を維持できないという問題点があった。
【０００６】
上記の問題点を解決するために、まず、室外空気を、室外に排出される室内空気と熱交換した後、室内に供給する熱交換方式の換気システムが提示された。以下、従来の換気システムを、図１に基づいて説明する。
【０００７】
一般に、熱交換方式の換気システムは、ボックス状の熱交換器１と、室外と室内とを連通する給気部及び排気部とからなる。
【０００８】
通常、前記熱交換器１は、ボックス状からなり、その内部には給気ファン１５、排気ファン２５及び熱交換素子５が備わる。
【０００９】
前記給気部及び前記排気部の流路は、前記熱交換器１の内部を通過する。すなわち、給気部の流路は、給気吸入口１１から前記熱交換器１の内部を通して給気排出口１３に繋がる。また、排気部の流路は、排気吸入口２１から前記熱交換器１の内部を通して排気排出口２３に繋がる。
【００１０】
したがって、全体的にみると、室内の汚染空気を室外に排出する排気部の流路では、一端が室内に連通されるとともに、他端が前記熱交換器１の排気吸入口２１に連結される室内側排気ダクト、前記熱交換器１の内部、及び一端が前記熱交換器１の排気排出口２３に連結されるとともに、他端が室外に連通される室外側排気ダクトの順に空気が流動する。
【００１１】
また、室外の新鮮な空気を室内に供給する給気部の流路では、一端が室外に連通されるとともに、他端が前記熱交換器１の給気吸入口１１に連結される室外側給気ダクト、前記熱交換器１の内部、及び一端が前記熱交換器１の給気排出口１３に連結されるとともに、他端が室内に連通される室内側給気ダクトの順に空気が流動する。
【００１２】
一方、上記のような空気の流動を察してみると、給気ファン１５の作動によって室外空気（ｏｕｔｓｉｄｅ  ａｉｒ：ＯＡ）を吸入する吸入力が発生することで、前記給気部を通して室外空気ＯＡが室内に給気される。ここで、図中、未説明符号ＳＡは、給気（ｓｕｐｐｌｙ  ａｉｒ：ＳＡ）を示すものである。また、排気ファン２５の作動によって室内空気（ｒｏｏｍ  ａｉｒ：ＲＡ）を吸入する吸入力が発生することで、前記排気部を通して室内空気ＲＡが室外に排気される。ここで、図中、未説明符号ＥＡは、排気（ｅｘｈａｕｓｔ  ａｉｒ：ＥＡ）を示すものである。
【００１３】
以下、前記熱交換器１の内部に流入された室内空気ＲＡと室外空気ＯＡとの間の熱交換方式を説明する。
【００１４】
まず、室内空気ＲＡは、熱交換器１の内部で熱交換素子５の一側下部に流入され、一側上部に流出された後、前記熱交換器１から抜け出る。これと同時に、室外空気ＯＡは、熱交換器１の内部で熱交換素子５の他側下部に流入され、他側上部に流出された後、前記熱交換器１から抜け出る。
【００１５】
すなわち、前記熱交換素子５の内部で前記室内空気ＲＡ及び室外空気ＯＡの流路がそれぞれ交差して形成され、前記各流路の側壁を通して前記室内空気ＲＡと室外空気ＯＡとの間の熱交換が行われる。
【００１６】
ここで、前記室内空気ＲＡと室外空気ＯＡとの間で温度差による熱交換のみが行われる熱交換素子を顕熱交換素子といい、前記室内空気ＲＡと室外空気ＯＡとの間の温度差の他にも、両者の湿度差による熱交換が行われる熱交換素子を全熱交換素子という。
【００１７】
最近は、室内空気ＲＡと室外空気ＯＡとの間の熱交換効率を一層上昇するために、全熱交換素子を多く用いている。
【発明の開示】
【発明が解決しようとする課題】
【００１８】
しかしながら、従来の換気システムにおいては、熱交換器１を通した熱交換効率を上昇するために前記熱交換素子５のサイズを大きくすべきであり、よって、前記熱交換器１の高さが大きくなるという問題点があった。
【００１９】
一方、相対的に高風量で運転される換気システムにおいては、前記熱交換素子５に流入される空気の流速が非常に速くなるが、流速が速くなるほど、前記熱交換素子５を通した熱交換効率が低下してしまう。
【００２０】
したがって、熱交換効率を上昇するためには、前記熱交換素子５の体積が大きくなるしかない。しかし、前記熱交換素子５の体積を大きくするためには、一般的に天井に設置される前記熱交換器１の高さが大きくなり、これを補償するために建物の各層間の高さを一層高くすべきであるという問題がある。
【００２１】
それゆえ、前記熱交換器１の高さは、所定高さを超えないことが好ましく、前記熱交換器１の高さを大きくせずに熱交換効率を上昇できる熱交換器１が要求される。
【００２２】
また、従来の熱交換器１においては、熱交換器１の大きさによって前記熱交換器１に用いられる熱交換素子５が異なってくるので、換気システムを構成するための費用が一層増加するという問題があった。
【００２３】
本発明は上記の問題点を解決するためのもので、その目的は、熱交換器の高さを一定に維持しながらも熱交換効率を上昇できる換気システムを提供することにある。
【課題を解決するための手段】
【００２４】
上記目的を達成するための本発明は、給気される室外空気と排気される室内空気との間の熱交換を行う単位熱交換素子が少なくとも２個以上並列に配置された熱交換器と、一側が室外と前記熱交換器の内部とを連通させるとともに、他側が室内と前記熱交換器の内部とを連通させ、室外空気を室内に供給するための給気ダクトと、一側が室内と前記熱交換器の内部とを連通させるとともに、他側が室外と前記熱交換器の内部とを連通させ、室内空気を室外に排出するための排気ダクトと、を含み、前記熱交換器の内部には、前記給気ダクトの一側と他側とが連通するように給気流路が形成され、前記排気ダクトの一側と他側とが連通するように前記給気流路と互いに対角線方向をなす排気流路が形成される換気システムを提供する。
【００２５】
ここで、前記給気流路上で室外空気を室内に供給する給気ファンと、前記給気ファンを駆動するモータが設置された給気ファンスクロールと、前記排気流路上で室内空気を室外に供給する排気ファンと、前記排気ファンを駆動するモータが設置された排気ファンスクロールと、をさらに含むことが好ましく、前記給気ファンスクロール及び前記排気ファンスクロールは、前記熱交換素子を中心に全て前記熱交換器の一側に備わることが好ましい。
【００２６】
また、前記給気流路及び前記排気流路は、前記熱交換器の内部で上下左右対称となり、前記給気流路及び前記排気流路は、前記熱交換器の内部でガイドを通して仕切られることが好ましい。
【００２７】
一方、前記熱交換器は、熱交換をしない一般換気のために、室外空気が前記熱交換素子を通過せずに室内に供給されるようにするバイパス流路と、前記バイパス流路を選択的に遮断するためのバイパスダンパーと、をさらに含むことが好ましい。
【００２８】
また、前記給気ファン及び排気ファンは、それぞれ両吸入ファンで構成される。また、前記熱交換素子は、熱交換効率を一層高めるための全熱交換素子であり、さらに、六角形状の並行流型熱交換素子として備わる。
【００２９】
前記単位熱交換素子では、空気の流動抵抗を減少するために、前記単位熱交換素子の内部を通過する空気が前記単位熱交換素子の中心部に対して斜線方向に流入され、前記熱交換素子の中心部に対して斜線方向に流出されることが好ましい。
【００３０】
ここで、前記単位熱交換素子に対する空気の斜線方向流入及び斜線方向流出のために、前記単位熱交換素子の空気流入面及び空気流出面の一側に流路ガイドケーシングが備わる。また、この場合、前記給気流路及び前記排気流路は、前記熱交換器の内部でガイドを通して仕切られると同時に、前記熱交換器の内部で上下左右対称となることが好ましい。
【発明の効果】
【００３１】
本発明に係る換気システムにおいては、熱交換器内部の流路、特に、熱交換素子内部の流路を上下左右対角線状に形成することで、圧力損失を減少できる。
【００３２】
また、熱交換器の高さを増加せずに熱交換素子の体積を増加することで、熱交換効率を上昇できる。
【００３３】
また、熱交換素子が単位熱交換素子の連結によって構成されるため、換気システムの容量変化に適宜対応できる。
【００３４】
また、単位熱交換素子に流入及び流出される空気流路を流路ガイドケーシングを通して一層スムーズに改善することで、圧力損失を減少できる。
【発明を実施するための最良の形態】
【００３５】
以下、本発明の好適な実施の形態について、添付の図面に基づいて詳細に説明する。 
【００３６】
ここで、説明の便宜上、従来と同じ構成要素には同一の名称及び符号を付与し、それに対する詳細な説明は省略する。
【００３７】
図２に示すように、本発明の一実施形態に係る換気システムは、熱交換器１００、給気ダクト（図示せず）、排気ダクト（図示せず）、給気流路１２０及び排気流路１３０を含んで構成される。
【００３８】
前記熱交換器１００には、給気される室外空気ＯＡと排気される室内空気ＲＡとの間の熱交換を行う熱交換素子１４０が備わる。前記熱交換素子１４０は、少なくとも二つ以上の単位熱交換素子１４１が並列に連結されて構成されており、図２は、前記単位熱交換素子１４１が六個並列に連結された状態を示している。
【００３９】
前記単位熱交換素子１４１は、前記室外空気ＯＡと室内空気ＲＡとの間の温度差によってのみ熱交換を行う顕熱交換素子であるか、温度差のみならず、湿度差による熱交換をも行う全熱交換素子であるが、熱交換効率を一層高めるためには、全熱交換素子であることが好ましい。
【００４０】
前記給気ダクトにおいては、一側が室外と前記熱交換器１００の内部とを連通させ、他側が室内と前記熱交換器１００の内部とを連通させることで、室外空気ＯＡが室内に給気される。
【００４１】
上記と同様に、前記排気ダクトにおいては、一側が室内と前記熱交換器１００の内部とを連通させ、他端が室外と前記熱交換器１００の内部とを連通させることで、室内空気ＲＡが室外に排気される。
【００４２】
前記熱交換器１００の内部には、前記給気ダクトの一側と他側とが連通するように給気流路１２０が形成され、前記排気ダクトの一側と他側とが連通するように排気流路１３０が形成される。このとき、前記給気流路１２０と前記排気流路１３０は、前記熱交換器１００の内部で対角線方向に互いに交差する。
【００４３】
まず、図２に示すように、前記排気流路１３０（点線矢印で表示）は、室内空気ＲＡが、排気吸入口１３１を通して前記熱交換器１００の内部に流入され、前記熱交換器１００の下部一側から前記熱交換素子１４０に流入された後、前記熱交換器１００の上部他側から排気排出口１３２を通して室外に流出されるように形成される。
【００４４】
その反対に、前記熱交換器１００内部の給気流路１２０（実線矢印で表示）は、室外空気ＯＡが、給気吸入口１２１を通して前記熱交換器１００の内部に流入され、前記熱交換器１００の上部一側から前記熱交換素子１４０に流入された後、前記熱交換器１００の下部他側から給気排出口１２２を通して室内に流入されるように形成される。
【００４５】
上記のように、前記給気流路１２０及び排気流路１３０は、前記熱交換器１００の内部で互いに対角線方向に形成されるので、図１に示した熱交換器に比べて空気の流動抵抗が減少する。
【００４６】
一方、前記熱交換器１００の内部には、前記熱交換素子１４０を中心に両側に前記熱交換器１００のケース１１０を上下に分ける二つのチャンバーが形成されるが、前記上下のチャンバーは、それぞれガイド１４６によって仕切られる。このようにして、一つのケース１１０からなる前記熱交換器１００の内部に形成される給気流路１２０及び排気流路１３０は、互いに上下左右対称となる。
【００４７】
また、前記給気流路上で室外空気ＯＡを室内に供給する給気ファンと、この給気ファンを駆動するモータが設置された給気ファンスクロール１２５と、前記排気流路上で室内空気を室外に供給する排気ファンと、この排気ファンを駆動するモータが設置された排気ファンスクロール１３５は、前記熱交換器１００の内部に備わることが好ましい。このようにして、熱交換器１００のコンパクトな構成が可能になり、全体の換気システムを容易に設置できるようになる。
【００４８】
また、前記給気ファンスクロール１２５及び前記排気ファンスクロール１３５は、前記熱交換素子１４０を中心に全て前記熱交換器１００の一側に備わることが好ましい。このようにして、上述した排気流路１２０と給気流路１３０とが対角線方向に形成されるとともに、空気の流動時、空気を押し出さずに空気を吸入することで、並列に連結された単位熱交換素子１４１に均一な流量で分散される。
【００４９】
さらに、前記給気ファン及び排気ファンは、両吸入ファンであることが好ましい。このようにして、図２に示すように、空気が前記各ファンの両側に流入されて排出されることで、一層円滑な空気流路を形成して圧力損失を減少できる。
【００５０】
図中、未説明符号１４５はバイパス流路であり、これに対しては、後述する本発明に係る他の実施形態で説明する。
【００５１】
以下、前記熱交換素子１４０に対して詳しく説明する。
【００５２】
図２に示すように、本発明の一実施形態に係る熱交換器１００の熱交換素子１４０は、単位熱交換素子１４１が少なくとも二つ以上並列に連結されて構成される。
【００５３】
一方、図２には、六角形状の単位熱交換素子１４１が示されているが、従来のように、 内部の空気流路が直交流型である四角形状の熱交換素子を単位熱交換素子として構成することもできる。
【００５４】
しかしながら、熱交換効率を一層向上するためには、内部の空気流路が並行流型である六角形状の熱交換素子を単位熱交換素子１４１として構成することが好ましい。
【００５５】
ここで、並行流型は、従来の六角形状の熱交換素子の対向流型と同一である。ここで、従来の対向流型の流路は、互いに平行であるが空気の流れ方向が異なるものをいい、前記並行流型の流路は、互いに平行でありながら空気の流れ方向も互いに同一であるものをいう。
【００５６】
図３は、単位熱交換素子１４１内部の流路を簡略に示したもので、説明の便宜上、図２に示した単位熱交換素子１４１の横たわった形態を示している。
【００５７】
図３に示すように、前記単位熱交換素子１４１は、室内空気ＲＡが流入されて室外に排気される流路層１４８と、室外空気ＯＡが流入されて室内に排気される流路層１４９とが互いに重なって積層される。前記各流路層の間には、熱交換膜（図示せず）が備わり、この熱交換膜を通して両層間の熱交換が行われる。
【００５８】
ここで、図３に示した単位熱交換素子１４１を基準にして後方右側面は、室内空気ＲＡが流入される流入面となり、前方左側面は、熱交換された室内空気ＲＡが排気される流出面となる。また、前方右側面は、室外空気ＯＡが流入される流入面となり、後方左側面は、室外空気ＯＡが給気される流出面となる。
【００５９】
前記単位熱交換素子１４１内では、前記単位熱交換素子１４１の内部に空気が流入された直後及び空気が流出される直前に、一般的な四角形状の熱交換素子と同様に直交流型の熱交換が行われる。また、前記単位熱交換素子１４１の中央部では、流路が並んで形成されて並行流型の熱交換が行われる。
【００６０】
ここで、熱交換率は、直交流型よりも対向流や並行流（本願発明では並行流）型の熱交換時に一層高くなると知られている。
【００６１】
一方、各単位熱交換素子１４１の並列連結を通して、高風量の換気システムで要求される熱交換素子１４０の体積を増加できるので、単位熱交換素子１４１の数を増加して熱交換効率を増加できる。このとき、前記単位熱交換素子１４１は、前記熱交換器１００の縦方向に着脱自在に備わることが好ましい。
【００６２】
すなわち、前記単位熱交換素子１４１を用いると、換気システムの容量が変わる場合も、連結される単位熱交換素子１４１の数を調整することで、前記熱交換器１００または前記熱交換素子１４０の全体を変えることなく容量変化に適宜対応できるという効果がある。
【００６３】
以下、本発明に係る他の実施形態を図４に基づいて詳しく説明し、上記の一実施形態と重複する説明は省略する。
【００６４】
図４は、本発明の他の実施形態に係る換気システムの熱交換器構成を概略的に示した斜視図である。
【００６５】
本発明の他の実施形態は、上述した一実施形態と同じ単位熱交換素子を備えているが、前記単位熱交換素子の空気流入面及び流出面に所定のガイドケーシングがさらに備わる点で上述した一実施形態と異なり、それ以外の構成は全て同一である。
【００６６】
すなわち、前記熱交換器２００の内部に形成される給気流路及び排気流路は、上述した一実施形態と同一であるので、ここでは、前記単位熱交換素子２４１に対してのみ説明することにする。
【００６７】
図４に示すように、各単位熱交換素子２４１の上部には、流路ガイドケーシング２４２，２４３がさらに備わる。
【００６８】
すなわち、図４に示すように、流入された室外空気ＯＡは、各単位熱交換素子２４１の内部中心部に向かって垂直方向に流入されるのではなく、前記流路ガイドケーシング２４２，２４３によって前記単位熱交換素子２４１の空気流入面に斜線方向に流入される。すなわち、前記流路ガイドケーシングの左側部２４３は、前記単位熱交換素子２４１の空気流入面の特定方向で空気の流入チャンネルを形成する。
【００６９】
ここで、前記単位熱交換素子２４１の内部に流入される空気の流路は、前記流路ガイドケーシングの左側部２４３によって狭く形成され、これを通して流路がスムーズに形成されるため、圧力損失が一層減少する。
【００７０】
一方、上記のように斜線方向に流入された室外空気ＯＡは、前記熱交換素子２４０の内部で熱交換が行われた後、前記各単位熱交換素子２４１の下部に形成された流路ガイドケーシング２４２，２４３を通して外部に流出される。
【００７１】
この場合も上記と同様に、流路ガイドケーシングの右側部２４３によって、室外空気ＯＡが前記単位熱交換素子２４１の空気流出面から斜線方向に流出される。
【００７２】
上記の内容を整理すると、前記単位熱交換素子２４１の空気流入面及び空気流出面には、空気流路が前記流入面及び流出面に垂直でない斜線方向に形成されるようにチャンネルをなす流路ガイドケーシング２４２，２４３が備わる。
【００７３】
一方、排気吸入口２２１を通して流入された室内空気ＲＡは、前記熱交換素子２４０の下部左側から斜線方向に流入され、前記熱交換素子２４０の上部右側に斜線方向に流出される。
【００７４】
上述したように、前記単位熱交換素子２４１の流路を上下左右対角線状に形成することで、各単位熱交換素子２４１の内部に流入及び流出される流路の形状がスムーズになり、熱交換器２００全体において給気流路及び排気流路がＳ字状に形成される。
【００７５】
したがって、上記のような熱交換素子２４０の構成を通して、圧力損失を一層減少できるという効果がある。
【００７６】
一方、本発明に係る換気システムの熱交換器１００，２００は、室外空気ＯＡが前記熱交換素子１４０，２４０を通過せずに室内に供給されるようにするバイパス流路１４５，２４５と、このバイパス流路１４５，２４５を選択的に遮断するためのバイパスダンパー（図示せず）とをさらに含んで構成されることが好ましい。
【００７７】
上記のような構成により、春や秋のように室外空気ＯＡの温度と室内空気ＲＡの温度とがほぼ同一である場合、前記熱交換素子１４０，２４０を通した換気によって電力を消耗する必要がなくなる。この場合、室外に排気される室内空気ＲＡが前記熱交換素子１４０，２４０を通過せずに前記排気ファンスクロール１３５，２３５に直接連結されるように、バイパス流路１４５，２４５を開放する。このようなバイパス流路の選択的な開放は、バイパスダンパー（図示せず）を通して行われる。
【００７８】
ここで、前記バイパス流路１４５，２４５及びバイパスダンパーは、室内に給気される流路上に備わるか、両側に全て備わる。
【００７９】
一方、本発明に係る換気システムの熱交換器１００，２００には、前記熱交換素子１４０，２４０に空気が流入される直前に空気中の異物質をろ過するフィルタ（図示せず）がさらに備わり、熱交換のみならず、空気清浄機能をも行えるように構成される。
【００８０】
本発明は、上述した実施形態に限定されるものではなく、添付された特許請求の範囲から分かるように、本発明の属する分野で通常の知識を有する者によって変形可能であり、このような変形は本発明の範囲に属する。
【図面の簡単な説明】
【００８１】
【図１】従来の換気システムの熱交換器構成を概略的に示した斜視図である。
【図２】本発明の一実施形態に係る換気システムの熱交換器構成を概略的に示した斜視図である。
【図３】本発明の一実施形態に係る換気システムの熱交換素子内部の流路を示した斜視図である。
【図４】本発明の他の実施形態に係る換気システムの熱交換器構成を概略的に示した斜視図である。
【符号の説明】
【００８２】
１００    熱交換器
１１０    ケース
１２０    給気流路
１２１    給気吸入口
１２２    給気排出口
１２５    給気ファンスクロール
１３０    排気流路
１３１    排気吸入口
１３２    排気排出口
１３５    排気ファンスクロール
１４０    熱交換素子
１４１    単位熱交換素子
１４５    バイパス流路
１４６    ガイドライン
【図１】
2007051864.tif 000003
【図２】
2007051864.tif 000004
【図３】
2007051864.tif 000005
【図４】
2007051864.tif 000006